(57)【要約】【課題】  辞書機能を備えずとも受信メールに含まれる単語について意味検索できる通信端末装置を実現する。【解決手段】  メール作成の際に、入力確定したメール本文中から意味検索したい単語を選択し、選択された単語の意味を辞書検索すると、その辞書検索された単語をファイル名とし、辞書検索で得られた意味情報を格納した意味情報ファイルが作成されてメール添付される。こうしたメールを送信すると、宛先ではそのメールを受信して受信ＢＯＸに格納してから開封し、開封されたメールの本文中から意味表示したい単語を選択すると、選択した単語と一致したファイル名の意味情報ファイルが添付されていれば、その意味情報ファイルから意味情報を読み出してポップアップ画面ＰＧに表示する。【選択図】  図１７
2005190367.tif 000002
【特許請求の範囲】
【請求項１】
作成したメールの本文中から意味検索したい単語を選択する選択手段と、
前記選択手段により選択された単語の意味を辞書検索して意味情報を発生する辞書検索手段と、
前記辞書検索手段の辞書検索で得た意味情報を格納した意味情報ファイルを生成し、作成したメールに添付する添付手段と、
前記添付手段により意味情報ファイルが添付されたメールを送信するメール送信手段と、
メールを受信するメール受信手段と、
前記メール受信手段により受信されたメールの本文中から意味表示したい単語を指定する指定手段と、
前記指定手段により指定された単語に対応した前記意味情報ファイルが、受信されたメールに添付されている場合、その意味情報ファイルから意味情報を読み出して表示する表示手段と
を具備することを特徴とする通信端末装置。
【請求項２】
作成したメールの本文中から意味検索したい単語を選択する選択手段と、
前記選択手段により選択された単語の意味を辞書検索して意味情報を発生する辞書検索手段と、
前記辞書検索手段の辞書検索で得た意味情報を格納した意味情報ファイルを生成し、作成したメールに添付する添付手段と、
前記添付手段により意味情報ファイルが添付されたメールを送信するメール送信手段と
を具備することを特徴とする通信端末装置。
【請求項３】
メールを受信するメール受信手段と、
前記メール受信手段により受信されたメールの本文中から意味表示したい単語を指定する指定手段と、
前記指定手段により指定された単語の意味を表す意味情報を格納した意味情報ファイルが、受信されたメールに添付されている場合、その添付された意味情報ファイルから意味情報を読み出して表示する表示手段と
を具備することを特徴とする通信端末装置。
【請求項４】
メールを作成する際に、入力確定したメール本文中から意味検索したい単語を選択する選択手段と、
前記選択手段により選択された単語の意味を辞書検索して意味情報を発生する辞書検索手段と、
前記辞書検索手段の辞書検索で得た意味情報が格納され、辞書検索された単語をファイル名にした意味情報ファイルを生成してメール添付する添付手段と、
前記添付手段により意味情報ファイルが添付されたメールを送信するメール送信手段と、
メールを受信するメール受信手段と、
前記メール受信手段により受信されたメールの本文中から意味表示したい単語を指定する指定手段と、
前記指定手段により指定された単語と一致するファイル名の意味情報ファイルが、受信されたメールに添付されている場合、受信されたメールを表示する画面とは異なる別の画面に、添付された意味情報ファイルから読み出した意味情報を表示する表示手段と
を具備することを特徴とする通信端末装置。
【請求項５】
メールを作成する際に、入力確定したメール本文中から意味検索したい単語を選択する選択手段と、
前記選択手段により選択された単語の意味を辞書検索して意味情報を発生する辞書検索手段と、
前記辞書検索手段の辞書検索で得た意味情報が格納され、辞書検索された単語をファイル名にした意味情報ファイルを形成してメール添付する添付手段と、
前記添付手段により意味情報ファイルが添付されたメールを送信するメール送信手段と、
メールを受信するメール受信手段と、
前記メール受信手段により受信されたメールに添付される意味情報ファイルのファイル名と一致する単語が、受信されたメールの本文中に有るか否かを判定する判定手段と、
前記判定手段により一致する単語が有ると判定された場合、受信されたメールに添付された意味情報ファイルの開封を報知する報知手段と、
前記報知手段からの報知に応じて開封操作がなされた場合、受信されたメールの内容を表示する画面とは異なる別の画面に、添付された意味情報ファイルから読み出した意味情報を表示する表示手段と
を具備することを特徴とする通信端末装置。
【請求項６】
作成したメールの本文中から意味検索したい単語を選択する選択処理と、
前記選択処理により選択された単語の意味を辞書検索して意味情報を発生する辞書検索処理と、
前記辞書検索処理の辞書検索で得た意味情報を格納した意味情報ファイルを生成し、作成したメールに添付する添付処理と、
前記添付処理により意味情報ファイルが添付されたメールを送信するメール送信処理と、
メールを受信するメール受信処理と、
前記メール受信処理により受信されたメールの本文中から意味表示したい単語を指定する指定処理と、
前記指定処理により指定された単語に対応した前記意味情報ファイルが、受信されたメールに添付されている場合、その意味情報ファイルから意味情報を読み出して表示する表示処理と
をコンピュータで実行させることを特徴とする通信端末処理プログラム。
【請求項７】
作成したメールの本文中から意味検索したい単語を選択する選択処理と、
前記選択処理により選択された単語の意味を辞書検索して意味情報を発生する辞書検索処理と、
前記辞書検索処理の辞書検索で得た意味情報を格納した意味情報ファイルを生成し、作成したメールに添付する添付処理と、
前記添付処理により意味情報ファイルが添付されたメールを送信するメール送信処理と
をコンピュータで実行させることを特徴とする通信端末処理プログラム。
【請求項８】
メールを受信するメール受信処理と、
前記メール受信処理により受信されたメールの本文中から意味表示したい単語を指定する指定処理と、
前記指定処理により指定された単語の意味を表す意味情報を格納した意味情報ファイルが、受信されたメールに添付されている場合、その添付された意味情報ファイルから意味情報を読み出して表示する表示処理と
をコンピュータで実行させることを特徴とする通信端末処理プログラム。
【請求項９】
メールを作成する際に、入力確定したメール本文中から意味検索したい単語を選択する選択処理と、
前記選択処理により選択された単語の意味を辞書検索して意味情報を発生する辞書検索処理と、
前記辞書検索処理の辞書検索で得た意味情報が格納され、辞書検索された単語をファイル名にした意味情報ファイルを生成してメール添付する添付処理と、
前記添付処理により意味情報ファイルが添付されたメールを送信するメール送信処理と、
メールを受信するメール受信処理と、
前記メール受信処理により受信されたメールの本文中から意味表示したい単語を指定する指定処理と、
前記指定処理により指定された単語と一致するファイル名の意味情報ファイルが、受信されたメールに添付されている場合、受信されたメールを表示する画面とは異なる別の画面に、添付された意味情報ファイルから読み出した意味情報を表示する表示処理と
をコンピュータで実行させることを特徴とする通信端末処理プログラム。
【請求項１０】
メールを作成する際に、入力確定したメール本文中から意味検索したい単語を選択する選択処理と、
前記選択処理により選択された単語の意味を辞書検索して意味情報を発生する辞書検索処理と、
前記辞書検索処理の辞書検索で得た意味情報が格納され、辞書検索された単語をファイル名にした意味情報ファイルを形成してメール添付する添付処理と、
前記添付処理により意味情報ファイルが添付されたメールを送信するメール送信処理と、
メールを受信するメール受信処理と、
前記メール受信処理により受信されたメールに添付される意味情報ファイルのファイル名と一致する単語が、受信されたメールの本文中に有るか否かを判定する判定処理と、
前記判定処理により一致する単語が有ると判定された場合、受信されたメールに添付された意味情報ファイルの開封を報知する報知処理と、
前記報知処理からの報知に応じて開封操作がなされた場合、受信されたメールの内容を表示する画面とは異なる別の画面に、添付された意味情報ファイルから読み出した意味情報を表示する表示処理と
をコンピュータで実行させることを特徴とする通信端末処理プログラム。
【発明の詳細な説明】
【技術分野】
【０００１】
本発明は、メールを作成して送受信する機能を備えた通信端末装置および通信端末処理プログラムに関する。
【背景技術】
【０００２】
送信するメールあるいは受信したメールの本文内で単語などの任意の文字を指定した時に辞書アプリケーションを実行させ、指定された文字の意味を辞書検索して表示する辞書機能を備えた端末装置が知られており、この種の技術については特許文献１に開示されている。
【０００３】
【特許文献１】特開平１０−３０７７７４号公報
【発明の開示】
【発明が解決しようとする課題】
【０００４】
ところで、例えば一般的でない難解な用語や俗語などの単語を本文に含むメールをやりとりする場合、上記特許文献１に開示された、辞書機能を備えた通信端末装置同士であれば、必要に応じて辞書機能を起動して意味検索することができるが、メール受信する側に辞書機能が備えられていないと、受信メールに含まれる単語について意味検索できないという弊害が生じる。
そこで本発明は、このような事情に鑑みてなされたもので、メール受信する側に辞書機能が備えられていなくとも、受信メールに含まれる単語について意味検索することができる通信端末装置および通信端末処理プログラムを提供することを目的としている。
【課題を解決するための手段】
【０００５】
上記目的を達成するため、請求項１に記載の発明では、作成したメールの本文中から意味検索したい単語を選択する選択手段と、前記選択手段により選択された単語の意味を辞書検索して意味情報を発生する辞書検索手段と、前記辞書検索手段の辞書検索で得た意味情報を格納した意味情報ファイルを生成し、作成したメールに添付する添付手段と、前記添付手段により意味情報ファイルが添付されたメールを送信するメール送信手段と、メールを受信するメール受信手段と、前記メール受信手段により受信されたメールの本文中から意味表示したい単語を指定する指定手段と、前記指定手段により指定された単語に対応した前記意味情報ファイルが、受信されたメールに添付されている場合、その意味情報ファイルから意味情報を読み出して表示する表示手段とを具備することを特徴とする。
【０００６】
請求項２に記載の発明では、作成したメールの本文中から意味検索したい単語を選択する選択手段と、前記選択手段により選択された単語の意味を辞書検索して意味情報を発生する辞書検索手段と、前記辞書検索手段の辞書検索で得た意味情報を格納した意味情報ファイルを生成し、作成したメールに添付する添付手段と、前記添付手段により意味情報ファイルが添付されたメールを送信するメール送信手段とを具備することを特徴とする。
【０００７】
請求項３に記載の発明では、メールを受信するメール受信手段と、前記メール受信手段により受信されたメールの本文中から意味表示したい単語を指定する指定手段と、前記指定手段により指定された単語の意味を表す意味情報を格納した意味情報ファイルが、受信されたメールに添付されている場合、その添付された意味情報ファイルから意味情報を読み出して表示する表示手段とを具備することを特徴とする。
【０００８】
請求項４に記載の発明では、メールを作成する際に、入力確定したメール本文中から意味検索したい単語を選択する選択手段と、前記選択手段により選択された単語の意味を辞書検索して意味情報を発生する辞書検索手段と、前記辞書検索手段の辞書検索で得た意味情報が格納され、辞書検索された単語をファイル名にした意味情報ファイルを生成してメール添付する添付手段と、前記添付手段により意味情報ファイルが添付されたメールを送信するメール送信手段と、メールを受信するメール受信手段と、前記メール受信手段により受信されたメールの本文中から意味表示したい単語を指定する指定手段と、前記指定手段により指定された単語と一致するファイル名の意味情報ファイルが、受信されたメールに添付されている場合、受信されたメールを表示する画面とは異なる別の画面に、添付された意味情報ファイルから読み出した意味情報を表示する表示手段とを具備することを特徴とする。
【０００９】
請求項５に記載の発明では、メールを作成する際に、入力確定したメール本文中から意味検索したい単語を選択する選択手段と、前記選択手段により選択された単語の意味を辞書検索して意味情報を発生する辞書検索手段と、前記辞書検索手段の辞書検索で得た意味情報が格納され、辞書検索された単語をファイル名にした意味情報ファイルを形成してメール添付する添付手段と、前記添付手段により意味情報ファイルが添付されたメールを送信するメール送信手段と、メールを受信するメール受信手段と、前記メール受信手段により受信されたメールに添付される意味情報ファイルのファイル名と一致する単語が、受信されたメールの本文中に有るか否かを判定する判定手段と、前記判定手段により一致する単語が有ると判定された場合、受信されたメールに添付された意味情報ファイルの開封を報知する報知手段と、前記報知手段からの報知に応じて開封操作がなされた場合、受信されたメールの内容を表示する画面とは異なる別の画面に、添付された意味情報ファイルから読み出した意味情報を表示する表示手段とを具備することを特徴とする。
【００１０】
請求項６に記載の発明では、作成したメールの本文中から意味検索したい単語を選択する選択処理と、前記選択処理により選択された単語の意味を辞書検索して意味情報を発生する辞書検索処理と、前記辞書検索処理の辞書検索で得た意味情報を格納した意味情報ファイルを生成し、作成したメールに添付する添付処理と、前記添付処理により意味情報ファイルが添付されたメールを送信するメール送信処理と、メールを受信するメール受信処理と、前記メール受信処理により受信されたメールの本文中から意味表示したい単語を指定する指定処理と、前記指定処理により指定された単語に対応した前記意味情報ファイルが、受信されたメールに添付されている場合、その意味情報ファイルから意味情報を読み出して表示する表示処理とをコンピュータで実行させることを特徴とする。
【００１１】
請求項７に記載の発明では、作成したメールの本文中から意味検索したい単語を選択する選択処理と、前記選択処理により選択された単語の意味を辞書検索して意味情報を発生する辞書検索処理と、前記辞書検索処理の辞書検索で得た意味情報を格納した意味情報ファイルを生成し、作成したメールに添付する添付処理と、前記添付処理により意味情報ファイルが添付されたメールを送信するメール送信処理とをコンピュータで実行させることを特徴とする。
【００１２】
請求項８に記載の発明では、メールを受信するメール受信処理と、前記メール受信処理により受信されたメールの本文中から意味表示したい単語を指定する指定処理と、前記指定処理により指定された単語の意味を表す意味情報を格納した意味情報ファイルが、受信されたメールに添付されている場合、その添付された意味情報ファイルから意味情報を読み出して表示する表示処理とをコンピュータで実行させることを特徴とする。
【００１３】
請求項９に記載の発明では、メールを作成する際に、入力確定したメール本文中から意味検索したい単語を選択する選択処理と、前記選択処理により選択された単語の意味を辞書検索して意味情報を発生する辞書検索処理と、前記辞書検索処理の辞書検索で得た意味情報が格納され、辞書検索された単語をファイル名にした意味情報ファイルを生成してメール添付する添付処理と、前記添付処理により意味情報ファイルが添付されたメールを送信するメール送信処理と、メールを受信するメール受信処理と、前記メール受信処理により受信されたメールの本文中から意味表示したい単語を指定する指定処理と、前記指定処理により指定された単語と一致するファイル名の意味情報ファイルが、受信されたメールに添付されている場合、受信されたメールを表示する画面とは異なる別の画面に、添付された意味情報ファイルから読み出した意味情報を表示する表示処理とをコンピュータで実行させることを特徴とする。
【００１４】
請求項１０に記載の発明では、メールを作成する際に、入力確定したメール本文中から意味検索したい単語を選択する選択処理と、前記選択処理により選択された単語の意味を辞書検索して意味情報を発生する辞書検索処理と、前記辞書検索処理の辞書検索で得た意味情報が格納され、辞書検索された単語をファイル名にした意味情報ファイルを形成してメール添付する添付処理と、前記添付処理により意味情報ファイルが添付されたメールを送信するメール送信処理と、メールを受信するメール受信処理と、前記メール受信処理により受信されたメールに添付される意味情報ファイルのファイル名と一致する単語が、受信されたメールの本文中に有るか否かを判定する判定処理と、前記判定処理により一致する単語が有ると判定された場合、受信されたメールに添付された意味情報ファイルの開封を報知する報知処理と、前記報知処理からの報知に応じて開封操作がなされた場合、受信されたメールの内容を表示する画面とは異なる別の画面に、添付された意味情報ファイルから読み出した意味情報を表示する表示処理とをコンピュータで実行させることを特徴とする。
【発明の効果】
【００１５】
請求項１，６に記載の発明によれば、メール送信側では、作成したメールの本文中から意味検索したい単語を選択すると、その単語の意味を辞書検索して得た意味情報を格納した意味情報ファイルを生成し、作成したメールに添付してする送信する。一方、メール受信側では、受信したメールの本文中から意味表示したい単語を指定すると、その単語に対応した意味情報ファイルが、受信されたメールに添付されている場合、その意味情報ファイルから意味情報を読み出して表示する。これにより、メール受信する側に辞書機能が備えられていなくとも、受信メールに含まれる単語について意味検索することができる。
【００１６】
請求項２，７に記載の発明によれば、作成したメールの本文中から意味検索したい単語を選択すると、その単語の意味を辞書検索して得た意味情報を格納した意味情報ファイルを生成し、作成したメールに添付してする送信する。したがって、メール受信する側では、受信したメールに添付される意味情報ファイルから意味情報を読み出して表示すれば、受信したメールの本文中の単語の意味が解るようになるので、メール受信する側に辞書機能が備えられていなくとも、受信メールに含まれる単語について意味検索することができる。
【００１７】
請求項３，８に記載の発明によれば、受信したメールの本文中から意味表示したい単語を指定すると、その単語に対応した意味情報ファイルが、受信されたメールに添付されている場合、その意味情報ファイルから意味情報を読み出して表示する。したがって、メール送信する側がメール本文中の単語の意味を辞書検索して得た意味情報を格納した意味情報ファイルをメールに添付して送信すれば、メール受信する側に辞書機能が備えられていなくとも、受信メールに含まれる単語について意味検索することができる。
【００１８】
請求項４，９に記載の発明によれば、メール送信側では、メールを作成する際に、入力確定したメール本文中から意味検索したい単語を選択すると、その単語の意味を辞書検索して得た意味情報が格納され、辞書検索した単語をファイル名にした意味情報ファイルを生成し、これを作成したメールに添付して送信する。一方、メール受信側では、受信したメールの本文中から意味表示したい単語を指定すると、その単語と一致するファイル名の意味情報ファイルが受信したメールに添付されている場合、受信したメールを表示する画面とは異なる別の画面に、添付された意味情報ファイルから読み出した意味情報を表示する。これにより、メール受信する側に辞書機能が備えられていなくとも、受信メールに含まれる単語について意味検索することができる。また、受信したメールを表示する画面とは異なる別の画面に意味情報を表示するため、メール本文と混同することなく単語の意味を確認することができる。
【００１９】
請求項５，１０に記載の発明では、メール送信側では、メールを作成する際に、入力確定したメール本文中から意味検索したい単語を選択すると、その単語の意味を辞書検索して得た意味情報が格納され、辞書検索した単語をファイル名にした意味情報ファイルを生成し、これを作成したメールに添付して送信する。一方、メール受信側では、受信したメールに添付される意味情報ファイルのファイル名と一致する単語が受信したメールの本文中に有るか否かを判定し、一致する単語が有ると、意味情報ファイルの開封をユーザに報知し、これに応じてユーザが開封操作すると、受信されたメールの内容を表示する画面とは異なる別の画面に、添付された意味情報ファイルから読み出した意味情報を表示する。これにより、メール受信する側に辞書機能が備えられていなくとも、受信メールに含まれる単語について意味検索することができる。また、受信メールの本文中で意味表示できる単語を自動的にユーザに教示することができる。さらに、受信したメールを表示する画面とは異なる別の画面に意味情報を表示するため、メール本文と混同することなく単語の意味を確認することができる。
【発明を実施するための最良の形態】
【００２０】
以下、図面を参照して本発明の実施の一形態による携帯電話について説明する。
Ａ．構成
図１は実施の一形態である携帯電話の構成を示すブロック図である。まず最初に機構的な構成について説明する。携帯電話１は折畳み開閉タイプの本体構造を有し、その本体ケース（図示せず）には、送受信用のアンテナ２、音声発生用のスピーカ３、カラー液晶パネル等から構成される表示部４、キー入力部５、音声入力用のマイク６、着脱自在な記憶媒体でデータの読み出しおよび書き込みが可能なメモリカード７、画像を撮像するカメラ８、着信通知するスピーカ９および振動によって着信通知するバイブレータ１０が設けられている。また、本体ケースは、図示していないが、折畳まれたクローズ状態で表示部４のバックライトをオフし、広げられたオープン状態でバックライトをオンさせる折畳みスイッチを有する。
【００２１】
キー入力部５は、パワーオンオフする電源スイッチ、通話開始／回線断時に操作されるオフフック／オンフックスイッチの他、ダイヤルスイッチと兼用の文字入力スイッチ、表示内容を消去させるクリアスイッチ、アイテム選択用のカーソルスイッチ、カーソルスイッチで選択されたアイテムを決定する決定スイッチ、メール機能を起動させるメールスイッチ、メール編集を指示する編集スイッチ、入力文字を確定する確定スイッチ、サブメニュー画面をポップアップ表示させるサブメニュースイッチおよびメール送信を指示する送信スイッチ等が設けられている。
【００２２】
次に、電気的な構成について説明する。無線送受信部１１は、アンテナ２を介して受信した高周波信号を増幅して次段の無線信号処理部１２に出力する一方、無線信号処理部１２から出力される送信信号を高周波増幅してアンテナ２から輻射する。無線信号処理部１２は、無線送受信部１１によって増幅された高周波信号を復調する一方、制御部１３から供給される送信データを変調した送信信号を発生する。制御部１３は、システムバスを介してコマンドおよびデータの授受を行ってこの装置全体を制御する。本発明の要旨に係わる制御部１３の動作については追って詳述する。加入者情報記憶部１４は、アドレス帳エリア、着信履歴エリア、発信履歴エリアなどで構成されている。
【００２３】
システムＲＯＭ１５は、制御部１３によって実行される通信制御処理のプログラムの他、合成音声データ、種々の初期データおよび各種画面データなどを記憶している。なお、ここで言う通信制御処理のプログラムとは、後述するメインルーチン、着信割込処理、メール着信割込処理、メール作成処理、本文入力処理、意味検索処理および受信ＢＯＸ処理を含む。また、システムＲＯＭ１５に格納される各種画面データとは、後述する各種画面（待受画面、メールリスト画面、メール作成画面、サブメニュー画面および受信メールリスト画面）を形成するためのデータである。
【００２４】
メモリ１６は、ワーク領域、メール領域、辞書領域などを備える。メモリ１６のワーク領域には制御部１３が実行する各種処理で使用するレジスタ・フラグデータが一時記憶される。メモリ１６のメール領域は、新規作成エリア、受信メールを保存する受信ＢＯＸおよび送信済みメールを保存する送信ＢＯＸを有する。新規作成エリアには、新規作成メールの宛先、件名、添付データおよび本文をそれぞれ保存する領域（後述の宛先エリア、件名エリア、添付エリアおよび本文エリアに該当）が設けられている。また、メモリ１６の辞書領域には、周知の電子辞書が格納される。辞書領域に格納される電子辞書は、ユーザ登録機能を有し、ユーザ入力された単語に対応した意味情報が登録可能となっている。
【００２５】
音声信号処理部１７は、通話中の音声データや合成音声データを音声信号にＤ／Ａ変換してスピーカ３から発音させたり、マイク６から出力される音声信号を音声データにＡ／Ｄ変換して制御部１３に入力したりする。ドライバ１８は、カメラ８のＬＥＤ８１、着信通知用のスピーカ９およびバイブレータ１０を駆動する。ドライバ１９は、制御部１３からの指示に従い表示部４を表示駆動する。ドライバ２０は、制御部１３からの指示に従いメモリカード７に対してデータをリードライトする。メモリカード７は、カメラ８で撮像された画像データ、外部装置から入力した画像データや曲データを記憶可能な容量を備える。パソコンＩ／Ｆ（インタフェース）２１は、ＵＳＢケーブルなどのシリアルインタフェースで接続されるパソコン等の外部機器との間でデータ授受する。
【００２６】
Ｂ．動作
次に、上記構成による携帯電話１の動作として、制御部１３が実行するメインルーチン、着信割込処理、メール着信割込処理、メール作成処理、本文入力処理、意味検索処理および受信ＢＯＸ処理の各動作を図２〜図１７を参照して説明する。
【００２７】
（１）メインルーチンの動作
携帯電話１の電源スイッチが操作されてパワーオンされると、制御部１３は図２〜図３に図示するメインルーチンを実行する。メインルーチンが実行されると、制御部１３は図２に示すステップＳＡ１に処理を進め、携帯電話１の各部を初期化するイニシャライズを行う。イニシャライズが完了すると、ステップＳＡ２に進み、メモリ１６に登録される待ち受け画像データと、システムＲＯＭ１５にファクトリープリセットされる待受画面データとを合成して形成した待受画面を表示部４に表示する。次いで、ステップＳＡ３以降では、通話開始を指示するオフフックスイッチ、回線断を指示するオンフックスイッチおよびメール機能の起動を指示するメールスイッチの操作にそれぞれ対応した処理を実行する。以下、各スイッチ操作がオン操作された場合に分けて動作説明する。
【００２８】
ａ．オフフックスイッチがオン操作された場合
ユーザが通話を開始すべくオフフックスイッチをオン操作すると、ステップＳＡ３の判断結果が「ＹＥＳ」になり、ステップＳＡ４に進み、番号入力処理を実行する。番号入力処理では、表示部４に表示される画面を待受画面から番号入力画面に変更し、この番号入力画面においてユーザが電話番号を入力し終えるまで待機する。そして、電話番号が入力されると、ステップＳＡ５〜ＳＡ６に進み、入力された電話番号に基づき発信および呼出報知を行う。呼出報知に応じて着呼側がオフフックして回線が接続されると、ステップＳＡ７の判断結果が「ＹＥＳ」になり、ステップＳＡ８に進み、通話処理を実行する。
【００２９】
ｂ．オンフックスイッチがオン操作された場合
上記ステップＳＡ８の通話処理中にユーザがオンフックスイッチをオン操作したとする。そうすると、ステップＳＡ９の判断結果が「ＹＥＳ」になり、ステップＳＡ１０に進み、回線を切る終話処理を実行した後、ステップＳＡ２に処理を戻して待受画面表示状態に復帰する。
【００３０】
ｃ．メールスイッチがオン操作された場合
待受画面表示状態でユーザがメールスイッチをオン操作すると、図３に示すステップＳＡ１１の判断結果が「ＹＥＳ」になり、ステップＳＡ１２に進む。ステップＳＡ１２に進むと、制御部１３は表示部４にメールリスト画面を表示する。メールリスト画面とは、図示していないが、例えば「新規作成」、「受信ＢＯＸ」および「送信ＢＯＸ」等、メール機能に係わる処理項目を一覧表示する画面である。次いで、ステップＳＡ１３に進むと、メールリスト画面に一覧表示される処理項目の一つを強調表示する。例えば、メールリスト画面におけるデフォルト位置（例えば画面最上位の行）に表示される処理項目を強調表示する。なお、ここで言う強調表示とは、フォーカスされた項目の表示領域の表示色を異ならせる等の表示処理を指す。
【００３１】
次に、ステップＳＡ１４〜ＳＡ１７では、メールリスト画面が表示された状態で行われるカーソルスイッチ、決定スイッチおよび戻るスイッチのオン操作にそれぞれ対応した処理を実行する。すなわち、メールリスト画面に一覧表示される処理項目の内から所望の項目を選択すべくユーザがカーソルスイッチをオン操作すると、ステップＳＡ１４の判断結果が「ＹＥＳ」になり、ステップＳＡ１５に進み、強調表示する位置を移動させる。そして、ユーザが決定スイッチをオン操作すると、ステップＳＡ１６の判断結果が「ＹＥＳ」になり、ステップＳＡ１８に進む。なお、メール機能に係わる処理項目の選択／実行指示を中止する為に戻るスイッチがオン操作された場合には、ステップＳＡ１７の判断結果が「ＹＥＳ」となり、図２に図示するステップＳＡ２に処理を戻して待受画面表示状態に復帰する。
【００３２】
続いて、ステップＳＡ１８〜ＳＡ２２では、上記ステップＳＡ１４〜ＳＡ１６にて選択／実行指示された処理項目を起動する。つまり、カーソルスイッチおよび決定スイッチのオン操作によって選択／実行指示された処理項目が「メール作成」の場合には、ステップＳＡ１８の判断結果が「ＹＥＳ」になり、ステップＳＡ１９を介してメール作成処理（後述する）を実行した後、ステップＳＡ１２に処理を戻してメールリスト画面表示状態に復帰する。
【００３３】
選択／実行指示された処理項目が「受信ＢＯＸ」の場合には、ステップＳＡ２０の判断結果が「ＹＥＳ」になり、ステップＳＡ２１を介して受信ＢＯＸ処理（後述する）を実行した後、ステップＳＡ１２に処理を戻してメールリスト画面表示状態に復帰する。
【００３４】
選択／実行指示された処理項目が「メール作成」および「受信ＢＯＸ」以外の場合には、ステップＳＡ２２に進み、その他のメール処理を実行した後、ステップＳＡ１２に処理を戻してメールリスト画面表示状態に復帰する。
【００３５】
（２）着信割込処理の動作
次に、図４を参照して着信割込処理の動作を説明する。上述したメインルーチンを実行中に着信があると、制御部１３は図４に示すステップＳＢ１〜ＳＢ２を実行し、オフフックスイッチがオン操作されるまで着信報知する。そして、ユーザがオフフックスイッチをオン操作すると、ステップＳＢ２の判断結果が「ＹＥＳ」となり、ステップＳＢ３に進む。ステップＳＢ３〜ＳＢ４では、オンフックスイッチがオン操作されるまで通話処理を実行する。そして、ユーザがオンフックスイッチをオン操作すると、ステップＳＢ４の判断結果が「ＹＥＳ」となり、ステップＳＢ５に進み、終話処理を実行して本処理を完了させる。
【００３６】
（３）メール着信割込処理の動作
次に、図５を参照してメール着信割込処理の動作を説明する。上述したメインルーチンを実行中にメール着信があると、制御部１３は図５に示すステップＳＣ１に処理を進め、ネットワーク側から送出されてくるメールを受信し、メモリ１６のメール領域に設けられる受信ＢＯＸにストアする。そして、着信メールを受信ＢＯＸにストアし終えると、ステップＳＣ２の判断結果が「ＹＥＳ」になり、ステップＳＣ３に進む。ステップＳＣ３では、一定時間メール着信報知を行った後、本処理を完了させる。
【００３７】
（４）メール作成処理の動作
次に、図６を参照してメール作成処理の動作を説明する。前述したメインルーチンのステップＳＡ１９（図３参照）を介して本処理が実行されると、制御部１３は図６に示すステップＳＤ１に進む。ステップＳＤ１では、「宛先」、「件名」、「添付」および「本文」の各入力項目を備えるメール作成画面ＭＳＧ（図１３参照）を表示部４に表示する。次いで、ステップＳＤ２では、メール作成画面ＭＳＧに設けられる入力項目の一つ、例えばデフォルトで選択される入力項目である「宛先」を強調表示する。次いで、ステップＳＤ３以降では、新規メールを作成するよう行われるスイッチ操作（文字入力操作を含む）に対応した処理を実行する。以下では、実際のメール作成操作に沿って「宛先入力」、「件名入力」、「本文入力」、「作成キャンセル」、「メール送信」および「その他の処理」を行う場合の各動作について説明する。
【００３８】
ａ．宛先入力
メール作成画面ＭＳＧに設けられる入力項目の内、「宛先」が強調表示されている状態で決定スイッチをオン操作すると、ステップＳＤ５およびステップＳＤ１２の各判断結果が「ＹＥＳ」になり、ステップＳＤ１３に進み、宛先入力処理を実行する。宛先入力処理では、例えば直接文字入力されるメールアドレスを宛先エリアに格納したり、あるいはアドレス帳や送信履歴から宛先のメールアドレスを引用して宛先エリアに入力したりする処理が行われる。宛先入力処理が完了すると、ステップＳＤ１に処理を戻してメール作成画面表示状態に復帰する。
【００３９】
ｂ．件名入力
次に、メール作成画面に設けられる入力項目の内、「件名」を強調表示させるべくカーソルスイッチをオン操作すると、ステップＳＤ３の判断結果が「ＹＥＳ」となり、ステップＳＤ４に進み、強調表示位置を移動させる。そして、「件名」が強調表示されている状態で決定スイッチをオン操作すると、ステップＳＤ５およびステップＳＤ１４の各判断結果が「ＹＥＳ」となり、ステップＳＤ１５に進み、入力された文字データを件名エリアに格納する件名入力処理を実行する。件名入力処理が完了すると、ステップＳＤ１に処理を戻してメール作成画面表示状態に復帰する。
【００４０】
ｃ．添付入力
次に、メール作成画面に設けられる入力項目の内、「添付」を強調表示させるべくカーソルスイッチをオン操作すると、ステップＳＤ３の判断結果が「ＹＥＳ」となり、ステップＳＤ４に進み、強調表示位置を移動させる。そして、「添付」が強調表示されている状態で決定スイッチをオン操作すると、ステップＳＤ５およびステップＳＤ１６の各判断結果が「ＹＥＳ」となり、ステップＳＤ１７に進み、メール添付するファイル名を設定する添付入力処理を実行する。添付入力処理が完了すると、ステップＳＤ１に処理を戻してメール作成画面表示状態に復帰する。
【００４１】
ｄ．本文入力
次に、メール作成画面に設けられる入力項目の内、「本文」を強調表示させるべくカーソルスイッチをオン操作すると、ステップＳＤ３の判断結果が「ＹＥＳ」となり、ステップＳＤ４に進み、強調表示位置を移動させる。そして、「本文」が強調表示されている状態で決定スイッチをオン操作すると、ステップＳＤ５およびステップＳＤ７の各判断結果が「ＹＥＳ」となり、ステップＳＤ８に進み、入力された文字データを本文エリアに格納する本文入力処理（後述する）を実行する。本文入力処理が完了すると、ステップＳＤ１に処理を戻してメール作成画面表示状態に復帰する。
【００４２】
ｅ．メール作成キャンセル
メール作成をキャンセルすべく、戻るスイッチをオン操作した場合には、ステップＳＤ６の判断結果が「ＹＥＳ」となり、本処理を完了させる。本処理が完了すると、前述したメインルーチンのステップＳＡ１２（図３参照）に処理を戻してメールリスト画面表示状態に復帰する。
【００４３】
ｆ．メール送信
送信スイッチをオン操作すると、ステップＳＤ９の判断結果が「ＹＥＳ」になり、ステップＳＤ１０に進み、送信処理を実行する。送信処理では、宛先入力の有無を判断し、宛先未入力の場合には一定期間の間、宛先未入力であることを表示部４に警告表示して宛先入力を促し、宛先入力済みの場合には新規作成したメール、すなわちメモリ１６の新規作成エリアに格納されたメールおよび添付指定されたファイルデータを送信する送信処理を実行する。次いで、ステップＳＤ１１では、送信し終えたメールをメモリ１６の送信ＢＯＸに保存して本処理を完了させる。
【００４４】
（６）本文入力処理の動作
次に、図７〜図９を参照して本文入力処理の動作を説明する。上述したメール作成処理（図６参照）のステップＳＤ８を介して本処理が実行されると、制御部１３は図７に示すステップＳＥ１に処理を進め、表示部４に本文入力画面ＨＮＧを表示し、入力エリアＡ３（後述する）の先頭入力位置に入力カーソルを表示する。
【００４５】
ここで、図９に図示する一例を参照して本文入力画面ＨＮＧの構成を説明する。本文入力画面ＨＮＧは、状態表示エリアＡ１、メール項目表示エリアＡ２、入力エリアＡ３および操作ガイド表示エリアＡ４から構成される。状態表示エリアＡ１には電波状態、電池残量および現在時刻などが表示される。メール項目表示エリアＡ２には、上述のメール作成処理にて入力設定された「宛先」、「件名」および「添付（添付ファイル入力エリア）」の内容が表示される。入力エリアＡ３にはキー入力される文字データが表示される。操作ガイド表示領域Ａ４には機能対応キーが案内表示される。図９に図示する一例の場合、「編集」、「決定」および「サブメニュー」と表示されている箇所に各々対応して配設される機能キースイッチがそれぞれ編集スイッチ、決定スイッチおよびサブメニュースイッチに相当することを案内表示するようになっている。
【００４６】
続いて、図７に示すステップＳＥ２では、文字入力スイッチを用いた文字入力操作の有無を判断する。文字入力操作が行われると、判断結果は「ＹＥＳ」になり、ステップＳＥ３に進み、文字入力操作に応じて移動する入力カーソル位置に入力文字をそのまま表示したり、あるいはユーザ操作に応じて入力文字を漢字などに変換して表示した後、ステップＳＥ４に進む。一方、文字入力操作が行われなければ、上記ステップＳＥ２の判断結果は「ＮＯ」となり、ステップＳＥ４に進む。次に、ステップＳＥ４〜ＳＥ５では、確定スイッチおよび戻るスイッチのオン操作の有無を判断する。戻るスイッチがオン操作されると、ステップＳＥ５の判断結果が「ＹＥＳ」になり、ステップＳＥ６に進み、入力エリアＡ３にキー入力された文字を消去し、続くステップＳＥ７では、その入力文字消去に伴い、入力カーソルを入力文字消去する以前の位置に戻して上述のステップＳＥ２に処理を戻す。
【００４７】
これに対し、入力文字を入力確定すべく確定スイッチがオン操作されると、ステップＳＥ４の判断結果が「ＹＥＳ」になり、ステップＳＥ８に進み、入力カーソルを消去する。こうして入力確定すると、ステップＳＥ９〜ＳＥ１１にて編集スイッチ、決定スイッチおよび戻るスイッチのオン操作の有無を判断する。決定スイッチがオン操作された場合には、ステップＳＥ１０の判断結果が「ＹＥＳ」となり、本処理を完了させる。これにより、入力確定した文字がメール本文に設定される。戻るスイッチがオン操作された場合には、ステップＳＥ１１の判断結果が「ＹＥＳ」になり、ステップＳＥ１２に進み、入力カーソルを表示させて上述のステップＳＥ２に処理を戻す。これにより、入力確定する以前の状態に復帰する。
【００４８】
編集スイッチがオン操作された場合には、ステップＳＥ９の判断結果が「ＹＥＳ」になり、ステップＳＥ１３に進む。ステップＳＥ１３では、入力エリアＡ３に表示される、入力確定された文字列中の先頭にある単語にカーソルを表示する。次いで、ステップＳＥ１４〜ＳＥ１５では、カーソルスイッチのオン操作に応じて、入力確定された本文中の単語を順番に選択するよう入力カーソルの位置を移動させる。続いて、図８に図示するステップＳＥ１６〜ＳＥ１７では、サブメニュースイッチおよび戻るスイッチのオン操作の有無を判断する。戻るスイッチがオン操作された場合には、ステップＳＥ１７の判断結果が「ＹＥＳ」になり、ステップＳＥ１８に進み、入力カーソルを消去した後、図７に示すステップＳＥ９に処理を戻し、編集スイッチがオン操作される以前の状態に復帰させる。
【００４９】
一方、例えば図９に図示する一例のように、入力エリアＡ３で入力確定された本文中の”晴天”という単語に入力カーソルが位置している状態でサブメニュースイッチをオン操作したとする。そうすると、ステップＳＥ１６の判断結果は「ＹＥＳ」になり、ステップＳＥ１９に進み、図９に示すように、入力エリアＡ３内にサブメニュー用ポップアップ画面ＳＰＧを表示する。次いで、ステップＳＥ２０では、サブメニュー用ポップアップ画面ＳＰＧに一覧表示される処理項目（意味検索、コピー、カットおよびペースト）の内、例えばデフォルトで選択される処理項目「意味検索」を強調表示（アンダーライン表示）する。
【００５０】
次に、ステップＳＥ２１〜ＳＡ２４では、カーソルスイッチ、決定スイッチおよび戻るスイッチのオン操作に対応した処理を実行する。すなわち、サブメニュー用ポップアップ画面ＳＰＧに一覧表示される処理項目の内から所望の項目を選択すべくユーザがカーソルスイッチをオン操作すると、ステップＳＥ２１の判断結果が「ＹＥＳ」になり、ステップＳＥ２２に進み、強調表示する位置を移動させる。そして、所望の項目が強調表示されている状態でユーザが決定スイッチをオン操作すると、ステップＳＥ２３の判断結果が「ＹＥＳ」になり、ステップＳＥ２６に進む。なお、サブメニュー用ポップアップ画面ＳＰＧにおける処理項目の選択／実行指示を中止すべく戻るスイッチがオン操作された場合には、ステップＳＥ２４の判断結果が「ＹＥＳ」となり、ステップＳＥ２５に進み、サブメニュー用ポップアップ画面ＳＰＧを消去して図７に示すステップＳＥ９に処理を戻し、編集スイッチがオン操作される以前の状態に復帰させる。
【００５１】
決定スイッチのオン操作に応じてステップＳＥ２６に進むと、制御部１３はサブメニュー用ポップアップ画面ＳＰＧで選択／実行指示された処理項目が「意味検索」であるか否かを判断する。「意味検索」以外であれば、判断結果は「ＮＯ」となり、「意味検索」以外で選択／実行指示された処理項目（コピー、カットおよびペースト）に対応した、その他のサブメニュー処理を実行した後、図７に示すステップＳＥ９に処理を戻し、編集スイッチがオン操作される以前の状態に復帰させる。一方、「意味検索」が選択／実行指示されると、上記ステップＳＥ２６の判断結果が「ＹＥＳ」になり、ステップＳＥ２８を介して意味検索処理（後述する）を実行した後、図７に示すステップＳＥ９に処理を戻し、編集スイッチがオン操作される以前の状態に復帰させる。
【００５２】
（７）意味検索処理の動作
次に、図１０〜図１３を参照して意味検索処理の動作を説明する。上述した本文入力処理（図８参照）のステップＳＥ２８を介して本処理が実行されると、制御部１３は図１０に示すステップＳＦ１に処理を進め、本文入力画面ＨＮＧ（図９参照）の入力エリアＡ３でカーソルポインティングされて選択状態にある単語の意味を辞書検索する。
【００５３】
図９に図示する一例の場合、”晴天”がカーソルによりポインティングされ、この単語の意味を辞書検索する。そして、辞書検索が終了すると、ステップＳＦ２の判断結果が「ＹＥＳ」になり、ステップＳＦ３に進む。ステップＳＦ３では、本文入力画面ＨＮＧ上に表示していたサブメニュー用ポップアップ画面ＳＰＧを消去する。次いで、ステップＳＦ４では、図１２に図示する一例のように、辞書検索して得た意味情報（検索結果）およびその意味情報をメール添付するか否かを選択する選択項目（「ＹＥＳ」，「ＮＯ」）を表示するポップアップ画面ＰＧを本文入力画面ＨＮＧ上に表示する。
【００５４】
続いて、ステップＳＦ５では、ポップアップ画面ＰＧに表示される選択項目（「ＹＥＳ」，「ＮＯ」）の内、例えばデフォルトで選択される選択項目「ＹＥＳ」を強調表示（アンダーライン表示）する。そして、ステップＳＦ６〜ＳＦ９では、カーソルスイッチ、決定スイッチおよび戻るスイッチのオン操作に対応した処理を実行する。すなわち、ポップアップ画面ＰＧに表示される選択項目（「ＹＥＳ」，「ＮＯ」）のいずれかを選択すべくユーザがカーソルスイッチをオン操作すると、ステップＳＦ６の判断結果が「ＹＥＳ」になり、ステップＳＦ７に進み、強調表示する位置を移動させる。そして、ユーザが決定スイッチをオン操作すると、ステップＳＦ８の判断結果が「ＹＥＳ」になり、ステップＳＦ１１に進む。なお、戻るスイッチがオン操作された場合には、ステップＳＦ９の判断結果が「ＹＥＳ」となり、ステップＳＦ１０に進み、ポップアップ画面ＰＧを消去して本処理を完了させる。
【００５５】
決定スイッチのオン操作に応じてステップＳＦ１１に進むと、ポップアップ画面ＰＧの選択項目（「ＹＥＳ」，「ＮＯ」）のいずれが選択されたかを判断する。選択項目「ＮＯ」が選択された場合には、ステップＳＦ１０に進み、ポップアップ画面ＰＧを消去して本処理を完了させる。一方、図１２に図示する一例のように、選択項目「ＹＥＳ」を選択していれば、図１１に示すステップＳＦ１２に進む。ステップＳＦ１２〜ＳＦ１３では、辞書検索にて得られた意味情報をテキストデータファイルとし、カーソルポインティングされた単語をそのファイル名に設定する。
【００５６】
次いで、ステップＳＦ１４では、辞書検索された単語をファイル名とし、辞書検索にて得られた意味情報を格納したテキストデータファイルを、メモリ１６の添付エリアにストアする。続いて、ステップＳＦ１５では、上記ステップＳＦ１３で設定したファイル名を、本文入力画面ＨＮＧ（図９参照）におけるメール項目表示エリアＡ２中の添付ファイル入力エリアに表示する。そして、ステップＳＦ１６では、本文入力画面ＨＮＧ上に表示されているポップアップ画面ＰＧを消去して本処理を完了させる。こうして意味検索処理を終え、さらに上述した本文入力処理を終えてメール作成処理に戻ると、メール作成画面表示状態に復帰する。例えば、図９および図１２に図示した一例の場合には、図１３に図示するメール作成画面ＭＳＧが表示される。
【００５７】
（８）受信ＢＯＸ処理の動作
次に、図１４〜図１７を参照して受信ＢＯＸ処理の動作を説明する。前述したメインルーチン（図３参照）のステップＳＡ２１を介して本処理が実行されると、制御部１３は図１４に示すステップＳＧ１に処理を進める。ステップＳＧ１では、メモリ１６の受信ＢＯＸに格納される受信メールの件名を一覧表示する受信メールリスト画面を表示部４に表示する。次いで、ステップＳＧ２では、この受信メールリスト画面に一覧表示される件名の内、例えばデフォルトで選択される件名（画面最上位に表示される件名）を強調表示する。そして、ステップＳＧ３〜ＳＧ６では、カーソルスイッチ、決定スイッチおよび戻るスイッチのオン操作に対応した処理を実行する。
【００５８】
すなわち、受信メールリスト画面に一覧表示される件名のいずれかを選択すべくユーザがカーソルスイッチをオン操作すると、ステップＳＧ３の判断結果が「ＹＥＳ」になり、ステップＳＧ４に進み、強調表示する位置を移動させる。そして、ユーザが決定スイッチをオン操作すると、ステップＳＧ５の判断結果が「ＹＥＳ」になり、ステップＳＧ７に進む。なお、戻るスイッチがオン操作された場合には、ステップＳＧ６の判断結果が「ＹＥＳ」となり、何も行わずに本処理を完了させる。
【００５９】
決定スイッチのオン操作に応じてステップＳＧ７に進むと、受信メールリスト画面で選択された件名の受信メールを開封し、その内容を受信メール画面ＲＭＧに表示する。ここで、図１６に図示する一例を参照して受信メール画面ＲＭＧの構成を説明する。受信メール画面ＲＭＧは、状態表示エリアＢ１、メール項目表示エリアＢ２、本文表示エリアＢ３および操作ガイド表示エリアＢ４から構成される。状態表示エリアＢ１には電波状態、電池残量および現在時刻などが表示される。メール項目表示エリアＢ２には、受信メールの「差出し人名」および「件名」が表示される。本文表示エリアＢ３には受信したメールの本文が表示される。操作ガイド表示領域Ｂ４には機能対応キーが案内表示される。図１６に図示する一例の場合、「次メール」、「意味」および「サブメニュー」と表示されている箇所に各々対応して配設される機能キースイッチがそれぞれ次メールスイッチ、意味スイッチおよびサブメニュースイッチに相当することを案内表示するようになっている。
【００６０】
さて、こうした受信メール画面ＲＭＧが表示されている状態において、戻るスイッチがオン操作されると、ステップＳＧ９の判断結果が「ＹＥＳ」となり、ステップＳＧ１に処理を戻して受信メールリスト画面表示状態に復帰する。一方、意味スイッチがオン操作されると、ステップＳＧ８の判断結果が「ＹＥＳ」になり、ステップＳＧ１０に進む。ステップＳＧ１０では、本文表示エリアＢ３に表示される本文の先頭の単語を強調表示する。そして、次のステップＳＧ１１から図１５に示すステップＳＧ１４では、カーソルスイッチ、決定スイッチおよび戻るスイッチのオン操作に応じた処理を実行する。
【００６１】
本文表示エリアＢ３に表示される本文中から意味表示したい単語を選択する為、ユーザがカーソルスイッチをオン操作すると、ステップＳＧ１１の判断結果が「ＹＥＳ」になり、ステップＳＧ１２に進み、強調表示する位置を移動させる。そして、意味表示したい単語を強調表示させた状態でユーザが決定スイッチをオン操作すると、図１５に示すステップＳＧ１３の判断結果が「ＹＥＳ」になり、ステップＳＧ１５に進む。なお、戻るスイッチがオン操作された場合には、図１５に示すステップＳＧ１４の判断結果が「ＹＥＳ」となり、図１４に示すステップＳＧ７に処理を戻して受信メール画面ＲＭＧが表示される状態に復帰する。
【００６２】
決定スイッチをオン操作して本文中から意味表示したい単語を選択すると、ステップＳＧ１５〜ＳＧ１７を実行し、現在開封している受信メールに添付ファイルがあり、しかもその添付ファイルのファイル名が本文中で選択した単語と一致した意味情報ファイルであるか否かを判断する。そして、これらの条件に全て合致していなければ、ステップＳＧ１５〜ＳＧ１７のいずれかの判断結果は「ＮＯ」になり、図１４に示すステップＳＧ１１に処理を戻す。
【００６３】
一方、上記条件に全て合致すると、ステップＳＧ１５〜ＳＧ１７の各判断結果が「ＹＥＳ」になり、ステップＳＧ１８に進み、現在開封している受信メールに添付された意味情報ファイルを開封し、続くステップＳＧ１９では、開封した意味情報ファイルの内容をポップアップ画面ＰＧに表示する。そして、ステップＳＧ２０では、戻るスイッチがオン操作されるまで待機し、オン操作されると、判断結果が「ＹＥＳ」になり、ステップＳＧ２１に進み、ポップアップ画面ＰＧを消去した後、図１４に示すステップＳＧ１１に処理を戻す。
【００６４】
したがって、例えば図１６に図示した一例の受信メール画面ＲＭＧにおいて、本文表示エリアＢ３に表示される本文中から意味表示したい単語として”晴天”を選択して決定スイッチをオン操作した場合に、この受信メールに”晴天”の意味情報ファイルが添付されていると、図１７に図示するように、本文表示エリアＢ３上のポップアップ画面ＰＧに意味情報ファイルの内容が表示される。これにより、メール受信する側に電子辞書機能が備えられていなくとも、意味検索することが可能になっている。
【００６５】
以上説明したように、本実施の形態によれば、メール作成の際に、入力確定したメール本文中から意味検索したい単語を選択し、選択された単語の意味を辞書検索すると、その辞書検索された単語をファイル名とし、辞書検索にて得られた意味情報を格納した意味情報ファイルが生成されてメール添付される。こうしたメールを送信すると、宛先ではそのメールを受信して受信ＢＯＸに格納してから開封し、開封されたメールの本文中から意味表示したい単語を選択すると、選択した単語と一致したファイル名の意味情報ファイルが添付されていれば、その意味情報ファイルに格納された意味情報を読み出してポップアップ画面ＰＧに表示するようにしたので、メール受信する側に辞書機能が備えられていなくとも、受信メールに含まれる単語について意味検索することが可能になっている。
【００６６】
なお、上述した実施形態では、開封した受信メールの本文中から意味表示したい単語をユーザのマニュアル操作で選択する態様としたが、これに替えて、開封した受信メールに添付される意味情報ファイルのファイル名と一致する単語が当該受信メールの本文中に有るかどうかを判断し、一致する単語がある場合に、その本文中の単語を強調表示して、添付された意味情報ファイルの開封をユーザに促し、これに応じてユーザが開封操作（例えば意味スイッチのオン操作）を行った場合に意味情報ファイルから意味情報を読み出してポップアップ画面ＰＧに表示する態様としても構わない。このようにすれば、受信メールの本文中で意味表示できる単語を自動的にユーザに教示し得るようになる。
【図面の簡単な説明】
【００６７】
【図１】本発明による実施の一形態の構成を示すブロック図である。
【図２】メインルーチンの動作を示すフローチャートである。
【図３】メインルーチンの動作を示すフローチャートである。
【図４】着信割込処理の動作を示すフローチャートである。
【図５】メール着信割込処理の動作を示すフローチャートである。
【図６】メール作成処理の動作を示すフローチャートである。
【図７】本文入力処理の動作を示すフローチャートである。
【図８】本文入力処理の動作を示すフローチャートである。
【図９】本文入力画面ＨＮＧの一例を示す図である。
【図１０】意味検索処理の動作を示すフローチャートである。
【図１１】意味検索処理の動作を示すフローチャートである。
【図１２】意味検索処理の動作の一例を説明するための本文入力画面ＨＮＧを示す図である。
【図１３】意味検索処理の動作の一例を説明するためのメール作成画面ＭＳＧを示す図である。
【図１４】受信ＢＯＸ処理の動作を示すフローチャートである。
【図１５】受信ＢＯＸ処理の動作を示すフローチャートである。
【図１６】受信ＢＯＸ処理の動作の一例を説明するための受信メール画面ＲＭＧを示す図である。
【図１７】受信ＢＯＸ処理の動作の一例を説明するための受信メール画面ＲＭＧを示す図である。
【符号の説明】
【００６８】
１  携帯電話
２  アンテナ
３  スピーカ
４  表示部
５  キー入力部
６  マイク
７  メモリカード
８  カメラ
９  スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８〜２０  ドライバ
２１  パソコンインタフェース
【図１】
2005190367.tif 000003
【図２】
2005190367.tif 000004
【図３】
2005190367.tif 000005
【図４】
2005190367.tif 000006
【図５】
2005190367.tif 000007
【図６】
2005190367.tif 000008
【図７】
2005190367.tif 000009
【図８】
2005190367.tif 000010
【図９】
2005190367.tif 000011
【図１０】
2005190367.tif 000012
【図１１】
2005190367.tif 000013
【図１２】
2005190367.tif 000014
【図１３】
2005190367.tif 000015
【図１４】
2005190367.tif 000016
【図１５】
2005190367.tif 000017
【図１６】
2005190367.tif 000018
【図１７】
2005190367.tif 000019